(57)【要約】【課題】人体の多項データの測定ができるマウスの提供。【解決手段】本考案は人体の多項データの測定ができるマウスで、下記のものを包括する。マウス本体：当該マウス本体には回路装置が設けられ、その特徴は、そのマウス本体上にさらに少なくとも１つのセンサーが設けられ、そのセンサーで人体のデータを測定する。そして使用者が使用する時、手の触れるところに設置され、そのセンサーは手と触れるとすぐ測定を開始する。測定されたデータは当該回路装置へ伝送され、当該回路装置は各種の表示方式により得られたデータを表示することができ、使用者はマウスを使用すると同時にごく自然に現在の身体の状況を知ることができるものである。【選択図】図２
0003130497.tif 000002
【実用新案登録請求の範囲】
【請求項１】
マウス本体を包括し、そのマウス本体内には回路装置が設けられ、その特徴は、そのマウス本体上にさらに少なくとも１つのセンサーが設けられ、当該センサーで人体のデータを測定し、そして使用者が使用する時、手の触れるところに設置され、そのセンサーは手と触れるとすぐ測定を開始し、測定されたデータは当該回路装置へ伝送され、当該回路装置は各種表示方式により得られたデータを表示し、使用者はマウスを使用すると同時にごく自然に現在の身体の状況を知ることができることを特徴とする人体の多項データの測定ができるマウス。
【請求項２】
人体の多項データ測定マウスのセンサーは、特に体温センサー、体脂肪センサー或いは心拍センサーを指すことを特徴とする請求項１記載の人体の多項データの測定ができるマウス。
【請求項３】
当該表示方式は、当該回路装置がデータをコンピュータへ伝送し、コンピュータのディスプレイに表示されるものを指すことを特徴とする請求項２記載の人体の多項データの測定ができるマウス。
【請求項４】
当該マウス本体上にさらにインジケータを設けることができ、当該回路装置が当該インジケータを通して得られたデータを表示することができることを特徴とする請求項２記載の人体の多項データの測定ができるマウス。
【請求項５】
さらにマウスパッドを包括することができ、そのマウスパッド上に手首バンドを設け、その手首バンド内に血圧センサーを設け、測定した血圧を有線或いは無線方式でそのマウス本体内の回路装置へ伝送するものであることを特徴とする請求項１又は請求項２又は請求項３又は請求項４記載の人体の多項データの測定ができるマウス。
【考案の詳細な説明】
【技術分野】
【０００１】
本考案はマウスの一種で、特に人体の多項データの測定ができるマウスを指す。
【背景技術】
【０００２】
コンピュータは情報が進歩した現代において、人々の生活の中に密着し、なくてはならないものとなっており、人々は毎日長い時間をコンピュータの使用に費やしている。そのためコンピュータは人々が毎日必ず接触する用品と言える。健康に関し、医薬が進歩した現代で治せない病気はほとんどない。人々が生活の中で自分の身体に注意し、人体の各データの変化が教える各項メッセージを理解し、また早めに何か病気や痛みを発見しさえすれば、すべて効果的に根治することができる。
【０００３】
上記のコンピュータと健康の両者から考えると、コンピュータはすでに人々が毎日必ず接触するものとなっており、人体の各項データの変化をコンピュータを利用してモニターできれば、必ず人々に現在の身体の状況を毎日効果的に知らせ、且つ理解させ、常に自分の身体の健康に注意させることができる。
【０００４】
図１に示すのは人々が一般によく用いるマウスで、マウスの操作によりコンピュータの操作を行う。このことから人々はコンピュータを使用すると同時に人体(手)が必ず長時間マウスと接触していることがわかる。本考案はこの連結する特性を利用し、人々に簡単でまた便利な状況で、常に自分の健康状態を注意させることができる。
【考案の開示】
【考案が解決しようとする課題】
【０００５】
周知の一般的なマウスは大部分が単純にコンピュータの操作に用いられるだけである。本考案の主要な目的は、マウスに同時に人体データを測定する機能を持たせ、人々にマウスを使用すると同時に測定されたデータで自分の身体の状況を理解させることである。
【０００６】
本考案は人体の多項データの測定ができるマウスで、下記のものを包括する。マウス本体：そのマウス本体には回路装置が設けられ、その特徴は、そのマウス本体上にさらに少なくとも１つのセンサーが設けられ、そのセンサーで人体のデータを測定する。そして使用者が使用する時、手の触れるところに設置され、そのセンサーは手と触れるとすぐ測定を開始する。測定されたデータはその回路装置へ伝送され、その回路装置は各種の表示方式により得られたデータを表示することができ、使用者はマウスを使用すると同時にごく自然に現在の身体の状況を知ることができる。
【課題を解決するための手段】
【０００７】
請求項１の考案は、マウス本体を包括し、そのマウス本体内には回路装置が設けられ、その特徴は、そのマウス本体上にさらに少なくとも１つのセンサーが設けられ、当該センサーで人体のデータを測定し、そして使用者が使用する時、手の触れるところに設置され、そのセンサーは手と触れるとすぐ測定を開始し、測定されたデータは当該回路装置へ伝送され、当該回路装置は各種表示方式により得られたデータを表示し、使用者はマウスを使用すると同時にごく自然に現在の身体の状況を知ることができることを特徴とする人体の多項データの測定ができるマウスとしている。
請求項２の考案は、人体の多項データ測定マウスのセンサーは、特に体温センサー、体脂肪センサー或いは心拍センサーを指すことを特徴とする請求項１記載の人体の多項データの測定ができるマウスとしている。
請求項３の考案は、当該表示方式は、当該回路装置がデータをコンピュータへ伝送し、コンピュータのディスプレイに表示されるものを指すことを特徴とする請求項２記載の人体の多項データの測定ができるマウスとしている。
請求項４の考案は、当該マウス本体上にさらにインジケータを設けることができ、当該回路装置が当該インジケータを通して得られたデータを表示することができることを特徴とする請求項２記載の人体の多項データの測定ができるマウスとしている。
請求項５の考案は、さらにマウスパッドを包括することができ、そのマウスパッド上に手首バンドを設け、その手首バンド内に血圧センサーを設け、測定した血圧を有線或いは無線方式でそのマウス本体内の回路装置へ伝送するものであることを特徴とする請求項１又は請求項２又は請求項３又は請求項４記載の人体の多項データの測定ができるマウスとしている。
【考案の効果】
【０００８】
本考案は人体の多項データの測定ができるマウスに関するものである。マウスに同時に人体データを測定する機能を持たせ、人々にマウスを使用すると同時に測定されたデータで自分の身体の状況を理解することができる。
【考案を実施するための最良の形態】
【０００９】
図２〜図３を参照のこと。本考案は人体の多項データの測定ができるマウスで、下記のものを包括する。マウス本体(１)：当該マウス本体(１)には回路装置(１１)と接続ケーブル(１２)が設けられ、その特徴は、そのマウス本体(１)上にさらにセンサー(１３)、センサー(１４)、そしてインジケータ(１５)が設けられ、そのセンサー(１３)と(１４)で人体のデータを測定する。そして使用者が使用する時、手の触れるところに設置され、そのセンサー(１３)と(１４)は手と触れるとすぐ測定を開始する。測定されたデータはその回路装置(１１)へ伝送され、その回路装置(１１)はその接続ケーブル(１２)によりデータをコンピュータへ伝送し、コンピュータのディスプレイ(３)によって表示したり、直接そのインジケータ(１５)によって表示し、使用者はマウスを使用すると同時にごく自然に現在の身体の状況を知ることができる。
【００１０】
上記のセンサー(１３)と(１４)は体温センサー、体脂肪センサー或いは心拍センサーを指す。本実施例では、同時に体温、体脂肪、心拍が測定できるセンサー(１３)を利用することができる。しかし、この種のセンサーは心拍の測定が比較的不正確であるため、別途センサー(１４)を設けて、単独で心拍の測定に使用する。またそのマウス本体(１)にはさらにマウスパッド(２)を配し、そのマウスパッド(２)上には手首バンド(２１)を設け、その内側に血圧センサー(２１１)とポンプ(２１２)を設ける。且つその手首バンド(２１)は空気加圧式の手首バンドとすることができ、血流を阻止して血圧を測定するのに便利である。測定された血圧データは有線或いは無線伝送方式でその回路装置(１１)へ伝送される。
【００１１】
図４は本考案の回路フローチャート説明である。本考案はそのマウス本体(１)上及びその手首バンド(２１)内に３個のセンサーを設置し、その機能と動作のフローチャートは以下の通りである。
１. 当該センサー(１４)は指と接触すると、測定した心拍を信号拡大回路(１１１)により、メインコントロールIC (１１３)へ伝送する。
２. 当該血圧センサー(２１１)は手首と接触すると、信号を発生し、信号拡大回路(１１７)及びアナログ・デジタル転換回路(１１２)により、メインコントロールIC (１１３)へ伝送する。当該メインコントロールIC (１１３)はすぐに別の信号を発生し、血圧計気圧制御回路(１１６)により、そのポンプ(２１２)へ伝送する。そのポンプ(２１２)は信号を受信するとただちに動作を開始し、その血圧センサー(２１１)はすぐに測定した血圧を信号拡大回路(１１７)及びアナログ・デジタル転換回路(１１２)により、メインコントロールIC (１１３)へ伝送する。
３. 当該センサー(１３)は指と接触すると、測定した体温と体脂肪を信号拡大回路(１１７)及びアナログ・デジタル転換回路(１１２)により、メインコントロールIC (１１３)へ伝送する。
４. メインコントロールIC (１１３)は受信したデータを表示用回路(１１４)により、当該インジケータ(１５)上に表示したり、その接続ケーブル(１２)によりデータをコンピュータへ伝送し、コンピュータのディスプレイ(３)により表示する。５.当該回路装置(１１)上には数個の制御ボタン(１１５)が設置され、各種設定に用いることができる。
【図面の簡単な説明】
【００１２】
【図１】周知のマウスの外観図である。
【図２】本考案の立体図である。
【図３】本考案の使用説明図である。
【図４】本考案の回路フローチャートである。
【符号の説明】
【００１３】
１  マウス本体
１１  回路装置
１１１  信号拡大回路
１１２  アナログ・デジタル転換回路
１１３  メインコントロールIC
１１４  表示用回路
１１５  制御ボタン
１１６  血圧計気圧制御回路
１１７  信号拡大回路
１２  接続ケーブル
１３、１４  センサー
１５  インジケータ
２  マウスパッド
２１  手首バンド
２１１  血圧センサー
２１２  ポンプ
３  コンピュータ・ディスプレイ
【図１】
0003130497.tif 000003
【図２】
0003130497.tif 000004
【図３】
0003130497.tif 000005
【図４】
0003130497.tif 000006